(57)【要約】【課題】  ホルダ（１）の端部に形成された取り付けスロット（３）に挿入体（２１）が正確に位置決めされる、差し込みドリルに挿入体（２１）を固定するための構造を提供する。【解決手段】  差し込みドリルは、取り付けスロット（３）、シャンク穴（５）及び第１ボルト穴（７）を持つホルダ（１）と、シャンク部分（２３）及び傾斜溝（２５）を持つ挿入体（２１）と、締め付けボルト（３１）とを含む。挿入体固定構造は、ホルダ（１）の外面の所定部分に形成された第２ボルト穴（４１）と、挿入体（２１）の係合面に長さ方向に形成された案内溝（２９）と、挿入体（２１）をホルダ（１）の取り付けスロット（３）に挿入したときに内側端が案内溝（２９）に受け入れられるように内側端が取り付けスロット（３）内に突出した状態で第２ボルト穴（９）に締め込まれる案内ボルト（４１）とを含む。【選択図】  図１
2005144655.tif 000002
【特許請求の範囲】
【請求項１】
差し込みドリルに挿入体を固定するための構造であって、
前記差し込みドリルは、
端部に取り付けスロットが形成されたホルダであって、前記取り付けスロットの底壁から前記ホルダ内を下方に延びるシャンク穴と、前記シャンク穴まで延びるように前記ホルダの外面の所定部分に形成された第１ボルト穴とを有するホルダを有し、
前記挿入体は、前記ホルダの前記取り付けスロット内に挿入されるものであり、
当該挿入体の下端に形成された、前記ホルダの前記シャンク穴に挿入される、その外面の所定部分に傾斜溝が形成されたシャンク部分と、
前記ホルダの前記第１ボルト穴に締め込まれる締め付けボルトであって、前記挿入体の前記シャンク部分が前記ホルダの前記シャンク穴に挿入されたときに当該締め付けボルトの内側端が前記挿入体の前記シャンク部分の前記傾斜溝と接触して前記挿入体を保持するように、前記第１ボルト穴を通して前記ホルダの前記シャンク穴へ突出する締め付けボルトを有し、
前記差し込みドリルに前記挿入体を固定するための前記構造は、
前記取り付けスロットに延びるように前記ホルダの前記外面の所定部分に形成された第２ボルト穴と、
前記挿入体の係合面に長さ方向に形成された案内溝と、
前記ホルダの前記第２ボルト穴に締め込まれる案内ボルトであって、前記挿入体が前記ホルダの前記取り付けスロットに挿入されたときに当該案内ボルトの内側端が前記案内溝の下端を通して前記挿入体の前記案内溝内に受け入れられ、かくして前記挿入体の前記案内溝を案内するように内側端が前記第２ボルト穴を通って前記ホルダの前記取り付けスロットへ突出する案内ボルトとを含む、構造。
【請求項２】
前記挿入体を前記ホルダのＸ軸に沿って配置した状態で前記ホルダの前記取り付けスロットに挿入したとき、前記挿入体の前記係合面に形成された前記案内溝は、前記ホルダの第４象限に向かって差し向けられ、前記案内ボルトは、当該案内ボルトの前記内側端が前記挿入体の前記案内溝に受け入れられるように前記ホルダの回転軸線に向かって差し向けられた状態で前記ホルダの前記第４象限に配置されている、請求項１に記載の構造。
【請求項３】
前記案内溝及び前記案内ボルトは、前記締め付けボルトの前記内側端と係合する前記挿入体の前記シャンク部分の前記傾斜溝の直径方向反対側にあるように配置されている、請求項１に記載の構造。
【請求項４】
差し込みドリルに挿入体を固定するための構造であって、
前記差し込みドリルは、
端部に取り付けスロットが形成されたホルダであって、前記取り付けスロットの底壁から前記ホルダ内を下方に延びるシャンク穴と、前記シャンク穴まで延びるように前記ホルダの外面の所定部分に形成された第１ボルト穴とを有するホルダを有し、
前記挿入体は、前記ホルダの前記取り付けスロット内に挿入されるものであり、
当該挿入体の下端に形成された、前記ホルダの前記シャンク穴に挿入される、その外面の所定部分に傾斜溝が形成されたシャンク部分と、
前記ホルダの前記第１ボルト穴に締め込まれる締め付けボルトであって、前記挿入体の前記シャンク部分が前記ホルダの前記シャンク穴に挿入されたときに当該締め付けボルトの内側端が前記挿入体の前記シャンク部分の前記傾斜溝と接触して前記挿入体を保持するように、前記第１ボルト穴を通して前記ホルダの前記シャンク穴へ突出する締め付けボルトを有し、
前記差し込みドリルに前記挿入体を固定するための前記構造は、
前記挿入体の係合面に長さ方向に形成された案内溝と、
前記挿入体が前記ホルダの前記取り付けスロット内に挿入されたときに、内側端が前記案内溝の下端を通して前記挿入体の前記案内溝内に受け入れられ、かくして前記挿入体の前記案内溝を案内するように内側端が前記ホルダの前記取り付けスロットの内側面の所定部分と一体に成形された案内突出部とを含む、構造。
【請求項５】
差し込みドリルに挿入体を固定するための構造において、
前記差し込みドリルは、
端部に取り付けスロットが形成されたホルダであって、前記取り付けスロットの底壁から前記ホルダ内を下方に延びるシャンク穴と、前記シャンク穴まで延びるように前記ホルダの外面の所定部分に形成された第１ボルト穴とを有するホルダを有し、
前記挿入体は、前記ホルダの前記取り付けスロット内に挿入されるものであり、
当該挿入体の下端に形成された、前記ホルダの前記シャンク穴に挿入される、その外面の所定部分に傾斜溝が形成されたシャンク部分と、
前記ホルダの前記第１ボルト穴に締め込まれる締め付けボルトであって、前記挿入体の前記シャンク部分が前記ホルダの前記シャンク穴に挿入されたときに当該締め付けボルトの内側端が前記挿入体の前記シャンク部分の前記傾斜溝と接触して前記挿入体を保持するように、前記第１ボルト穴を通して前記ホルダの前記シャンク穴へ突出する締め付けボルトを有し、
前記差し込みドリルに前記挿入体を固定するための前記構造は、
前記挿入体の係合面に長さ方向に形成された案内溝と、
前記ホルダの前記外面の所定部分に前記取り付けスロットに延びるように形成されたキー穴と、
前記ホルダの前記キー穴に挿入された案内キーであって、前記挿入体が前記ホルダの前記取り付けスロット挿入されたときに当該案内キーの内側端が前記案内溝の下端を通して前記挿入体の前記案内溝内に受け入れられ、かくして前記挿入体の前記案内溝を案内するように内側端が前記キー穴を通って前記ホルダの前記取り付けスロットへ突出する案内キーとを含む、構造。
【請求項６】
差し込みドリルに挿入体を固定するための構造において、
前記差し込みドリルは、
端部に取り付けスロットが形成されたホルダであって、前記取り付けスロットの底壁から前記ホルダ内を下方に延びるシャンク穴と、前記シャンク穴まで延びるように前記ホルダの外面の所定部分に形成された第１ボルト穴とを有するホルダを有し、
前記挿入体は、前記ホルダの前記取り付けスロット内に挿入されるものであり、
当該挿入体の下端に形成された、前記ホルダの前記シャンク穴に挿入される、その外面の所定部分に傾斜溝が形成されたシャンク部分と、
前記ホルダの前記第１ボルト穴に締め込まれる締め付けボルトであって、前記挿入体の前記シャンク部分が前記ホルダの前記シャンク穴に挿入されたときに当該締め付けボルトの内側端が前記挿入体の前記シャンク部分の前記傾斜溝と接触して前記挿入体を保持するように、前記第１ボルト穴を通して前記ホルダの前記シャンク穴へ突出する締め付けボルトを有し、
前記差し込みドリルに前記挿入体を固定するための前記構造は、
前記挿入体の係合面の下縁に設けられた凹所をなした部分と、
前記挿入体が前記ホルダの前記取り付けスロットに挿入されたときに、前記挿入体の前記凹所をなした部分が嵌着し、かくして前記挿入体が前記ホルダの前記取り付けスロットに配置されるように、前記ホルダの前記取り付けスロットの側壁の下端に前記挿入体の前記凹所をなした部分と対応して設けられた段とを含む、構造。
【請求項７】
差し込みドリルに挿入体を固定するための構造において、
前記差し込みドリルは、
端部に取り付けスロットが形成されたホルダであって、前記取り付けスロットの底壁から前記ホルダ内を下方に延びるシャンク穴と、前記シャンク穴まで延びるように前記ホルダの外面の所定部分に形成された第１ボルト穴と有するホルダを有し、
前記挿入体は、前記ホルダの前記取り付けスロット内に挿入されるものであり、
前記挿入体の下端に形成された、前記ホルダの前記シャンク穴に挿入される、その外面の所定部分に傾斜溝が形成されたシャンク部分と、
前記ホルダの前記第１ボルト穴に締め込まれた締め付けボルトであって、前記挿入体の前記シャンク部分が前記ホルダの前記シャンク穴に挿入されたときに当該締め付けボルトの内側端が前記挿入体の前記シャンク部分の前記傾斜溝と接触して前記挿入体を保持するように、前記第１ボルト穴を通して前記ホルダの前記シャンク穴へ突出する締め付けボルトを有し、
前記差し込みドリルに前記挿入体を固定するための前記構造は、
前記挿入体の係合面の下縁の所定位置に設けられた係止溝と、
前記挿入体が前記ホルダの前記取り付けスロットに挿入されたときに、前記挿入体の前記係止溝と係合するように、前記ホルダの前記取り付けスロットの側壁の下端の所定位置に前記挿入体の前記係止溝と対応して設けられた係止突出部とを含む、構造。
【請求項８】
前記挿入体の前記係止溝及び前記取り付けスロットの前記係止突出部は、複数の係止溝及び複数の係止突出部を夫々含む、請求項７に記載の構造。
【発明の詳細な説明】
【技術分野】
【０００１】
本発明は、全体として、差し込みドリル（ｉｎｓｅｒｔ  ｄｒｉｌｌ）のホルダの端部に形成された取り付けスロットに挿入体を挿入するとき、挿入体が取り付けスロットに正確に配置される、差し込みドリルに挿入体を固定するための構造に関し、更に詳細には、案内手段がホルダの取り付けスロットに設けられており且つ案内溝が挿入体の係合面に案内手段と対応するように形成されており、挿入体をホルダの取り付けスロットに挿入するときに案内溝が案内手段によって案内され、かくして挿入体がホルダの取り付けスロットに正確に配置される、差し込みドリルに挿入体を固定するための構造に関する。
【背景技術】
【０００２】
本発明の発明者は、差し込みドリルに挿入体を固定するための構造を、「差し込みドリル」という表題の韓国特許出願第２００１−００１４７７４号（２００１年３月２２日付けで出願）で提案した。
【特許文献１】韓国特許出願第２００１−００１４７７４号
【０００３】
上述した従来の差し込みドリルは、挿入体、ホルダ及び締め付けボルトを含む。挿入体は、その下端にシャンク部分を有し、このシャンク部分の外面に傾斜溝が形成されている。ホルダは、その一端に取り付けスロットを有し、ホルダの外面の所定部分にボルト穴が形成されている。挿入体をホルダの取り付けスロットに挿入したとき、締め付けボルトをボルト穴に締め込む。これは、締め付けボルトの内側端がシャンク部分の傾斜溝と接触し、かくして挿入体が望ましくない状態でホルダの取り付けスロットから外れることがないように行われる。
【０００４】
しかしながら、従来の差し込みドリルは、挿入体を取り付けスロットに挿入したときに挿入体をホルダの取り付けスロットに正確に配置する案内ユニットを備えていない。従って、挿入体は、望ましからぬことに、使用者が挿入体を取り付けスロットに挿入するときにホルダの取り付けスロットに不正確に配置されてしまう場合がある。使用者が誤って又は不注意で挿入体を取り付けスロットに不正確に挿入した場合、即ち締め付けボルトの内側端が挿入体の傾斜溝と接触しないように挿入体が取り付けスロットに挿入された場合には、挿入体は思わぬことにホルダの取り付けスロットから外れてしまったり、穿孔作業中に挿入体及びホルダの同心性が変化してしまったりする。
【発明の開示】
【発明が解決しようとする課題】
【０００５】
従って、本発明は、従来の技術で生じた上述した問題点を考慮してなされたものであり、本発明の目的は、案内ボルト、案内突出部又は案内キー等の案内手段が差し込みドリルのホルダの取り付けスロットに設けられ、案内溝が挿入体の係合面に形成され、挿入体をホルダの取り付けスロットに挿入するときに案内溝が案内ボルト、案内突出部又は案内キー等の案内手段によって案内され、かくして挿入体が取り付けスロットに正確に配置される、差し込みドリルに挿入体を固定するための構造を提供することである。
【０００６】
本発明の別の目的は、段又は係止突出部等の案内手段が差し込みドリルのホルダの取り付けスロットの側壁の下端に設けられ、凹所をなした部分又は係止溝等の受け入れ手段が挿入体の係合面に形成され、挿入体をホルダの取り付けスロットに挿入するときに凹所をなした部分又は係止溝等の受け入れ手段が段又は係止突出部等の案内手段と係合し、かくして挿入体が取り付けスロットに正確に配置される、挿入体を差し込みドリルに固定するための構造を提供することである。
【課題を解決するための手段】
【０００７】
以上の目的を達成するため、本発明は、差し込みドリルに挿入体を固定するための構造であって、前記差し込みドリルは、端部に取り付けスロットが形成されたホルダであって、前記取り付けスロットの底壁から前記ホルダ内を下方に延びるシャンク穴と、前記シャンク穴まで延びるように前記ホルダの外面の所定部分に形成された第１ボルト穴とを有するホルダを有し、
前記挿入体は、前記ホルダの取り付けスロット内に挿入されるものであり、
当該挿入体の下端に形成された、前記ホルダの前記シャンク穴に挿入される、その外面の所定部分に傾斜溝が形成されたシャンク部分と、
前記ホルダの前記第１ボルト穴に締め込まれる締め付けボルトであって、前記挿入体の前記シャンク部分が前記ホルダの前記シャンク穴に挿入されたときに当該締め付けボルトの内側端が前記挿入体の前記シャンク部分の前記傾斜溝と接触して前記挿入体を保持するように、前記第１ボルト穴を通して前記ホルダの前記シャンク穴へ突出する締め付けボルトを有し、
前記差し込みドリルに前記挿入体を固定するための前記構造は、
前記取り付けスロットに延びるように前記ホルダの前記外面の所定部分に形成された第２ボルト穴と、
前記挿入体の係合面に長さ方向に形成された案内溝と、
前記ホルダの前記第２ボルト穴に締め込まれる案内ボルトであって、前記挿入体が前記ホルダの前記取り付けスロットに挿入されたときに当該案内ボルトの内側端が前記案内溝の下端を通して前記挿入体の前記案内溝内に受け入れられ、かくして前記挿入体の前記案内溝を案内するように内側端が前記第２ボルト穴を通って前記ホルダの前記取り付けスロットへ突出する案内ボルトとを含む、構造である。
【０００８】
以上の及び／又は他の特徴は、差し込みドリルに挿入体を固定するための構造であって、
前記差し込みドリルは、
端部に取り付けスロットが形成されたホルダであって、前記取り付けスロットの底壁から前記ホルダ内を下方に延びるシャンク穴と、前記シャンク穴まで延びるように前記ホルダの外面の所定部分に形成された第１ボルト穴とを有するホルダを有し、
前記挿入体は、前記ホルダの前記取り付けスロット内に挿入されるものであり、
当該挿入体の下端に形成された、前記ホルダの前記シャンク穴に挿入される、その外面の所定部分に傾斜溝が形成されたシャンク部分と、
前記ホルダの前記第１ボルト穴に締め込まれる締め付けボルトであって、前記挿入体の前記シャンク部分が前記ホルダの前記シャンク穴に挿入されたときに当該締め付けボルトの内側端が前記挿入体の前記シャンク部分の前記傾斜溝と接触して前記挿入体を保持するように、前記第１ボルト穴を通して前記ホルダの前記シャンク穴へ突出する締め付けボルトを有し、
前記差し込みドリルに前記挿入体を固定するための構造は、
前記挿入体の係合面に長さ方向に形成された案内溝と、
前記挿入体が前記ホルダの前記取り付けスロット内に挿入されたときに、内側端が前記案内溝の下端を通して前記挿入体の前記案内溝内に受け入れられ、かくして前記挿入体の前記案内溝を案内するように内側端が前記ホルダの前記取り付けスロットの内側面の所定部分と一体に成形された案内突出部とを含む、構造を提供することによって達成される。
【０００９】
以上の及び／又は他の特徴は、更に、差し込みドリルに挿入体を固定するための構造において、
前記差し込みドリルは、
端部に取り付けスロットが形成されたホルダであって、前記取り付けスロットの底壁から前記ホルダ内を下方に延びるシャンク穴と、前記シャンク穴まで延びるように前記ホルダの外面の所定部分に形成された第１ボルト穴とを有するホルダを有し、
前記挿入体は、前記ホルダの前記取り付けスロット内に挿入されるものであり、
当該挿入体の下端に形成された、前記ホルダの前記シャンク穴に挿入される、その外面の所定部分に傾斜溝が形成されたシャンク部分と、
前記ホルダの前記第１ボルト穴に締め込まれる締め付けボルトであって、前記挿入体の前記シャンク部分が前記ホルダの前記シャンク穴に挿入されたときに当該締め付けボルトの内側端が前記挿入体の前記シャンク部分の前記傾斜溝と接触して前記挿入体を保持するように、前記第１ボルト穴を通して前記ホルダの前記シャンク穴へ突出する締め付けボルトを有し、
前記差し込みドリルに前記挿入体を固定するための前記構造は、
前記挿入体の係合面に長さ方向に形成された案内溝と、
前記ホルダの前記外面の所定部分に前記取り付けスロットに延びるように形成されたキー穴と、
前記ホルダの前記キー穴に挿入された案内キーであって、前記挿入体が前記ホルダの前記取り付けスロットに挿入されたときに当該案内キーの内側端が前記案内溝の下端を通して前記挿入体の前記案内溝内に受け入れられ、かくして前記挿入体の前記案内溝を案内するように内側端が前記キー穴を通って前記ホルダの前記取り付けスロットへ突出する案内キーとを含む、構造を提供することによって達成される。
【００１０】
以上の及び／又は他の特徴は、更に、差し込みドリルに挿入体を固定するための構造において、
前記差し込みドリルは、
端部に取り付けスロットが形成されたホルダであって、前記取り付けスロットの底壁から前記ホルダ内を下方に延びるシャンク穴と、前記シャンク穴まで延びるように前記ホルダの外面の所定部分に形成された第１ボルト穴とを有するホルダを有し、
前記挿入体は、前記ホルダの前記取り付けスロット内に挿入されるものであり、
当該挿入体の下端に形成された、前記ホルダの前記シャンク穴に挿入される、その外面の所定部分に傾斜溝が形成されたシャンク部分と、
前記ホルダの前記第１ボルト穴に締め込まれる締め付けボルトであって、前記挿入体の前記シャンク部分が前記ホルダの前記シャンク穴に挿入されたときに当該締め付けボルトの内側端が前記挿入体の前記シャンク部分の前記傾斜溝と接触して前記挿入体を保持するように、前記第１ボルト穴を通して前記ホルダの前記シャンク穴へ突出する締め付けボルトを有し、
前記差し込みドリルに前記挿入体を固定するための前記構造は、
前記挿入体の係合面の下縁に設けられた凹所をなした部分と、
前記挿入体が前記ホルダの前記取り付けスロットに挿入されたときに、前記挿入体の前記凹所をなした部分が嵌着し、かくして前記挿入体が前記ホルダの前記取り付けスロットに配置されるように、前記ホルダの前記取り付けスロットの側壁の下端に前記挿入体の前記凹所をなした部分と対応して設けられた段とを含む、構造を提供することによって達成される。
【００１１】
以上の及び／又は他の特徴は、更に、差し込みドリルに挿入体を固定するための構造において、
前記差し込みドリルは、
端部に取り付けスロットが形成されたホルダであって、前記取り付けスロットの底壁から前記ホルダ内を下方に延びるシャンク穴と、前記シャンク穴まで延びるように前記ホルダの外面の所定部分に形成された第１ボルト穴とを有するホルダを有し、
前記挿入体は、前記ホルダの前記取り付けスロット内に挿入されるものであり、
当該挿入体の下端に形成された、前記ホルダの前記シャンク穴に挿入される、その外面の所定部分に傾斜溝が形成されたシャンク部分と、
前記ホルダの前記第１ボルト穴に締め込まれた締め付けボルトであって、前記挿入体の前記シャンク部分が前記ホルダの前記シャンク穴に挿入されたときに当該締め付けボルトの内側端が前記挿入体の前記シャンク部分の前記傾斜溝と接触して前記挿入体を保持するように、前記第１ボルト穴を通して前記ホルダの前記シャンク穴へ突出する締め付けボルトを有し、
前記差し込みドリルに前記挿入体を固定するための前記構造は、
前記挿入体の係合面の下縁の所定位置に設けられた係止溝と、
前記挿入体が前記ホルダの前記取り付けスロットに挿入されたときに、前記挿入体の前記係止溝と係合するように、前記ホルダの前記取り付けスロットの側壁の下端の所定位置に前記挿入体の前記係止溝と対応して設けられた係止突出部とを含む、構造を提供することによって達成される。
【００１２】
本発明の以上の及び他の目的、特徴及び他の利点は、以下の詳細な説明を添付図面に関連付けて読むことにより更に明瞭に理解されるであろう。
【発明を実施するための形態】
【００１３】
次に、添付図面を参照すると、これらの図面では、様々な図面に亘り、同じ又は同様の構成要素を示すのに同じ参照符号が使用されている。
【００１４】
図１は、挿入体２１を差し込みドリルに固定するための本発明の第１の実施の形態による構造の分解斜視図である。図２は、図１のＡ−Ａ線に沿った断面図である。図３は、図１の挿入体固定構造の平面図である。
【００１５】
図１及び図２に示すように、差し込みドリルはホルダ１を含む。このホルダ１は、ホルダの端部に形成された取り付けスロット３と、取り付けスロット３の底壁からホルダ１内を下方に延びるシャンク穴５と、ホルダ１の外面の所定部分にシャンク穴５へ向けて延びるように形成された第１ボルト穴７とを有する。差し込みドリルは、更に、ホルダ１の取り付けスロット３に挿入される挿入体２１を含む。この挿入体２１の下端には、シャンク部分２３が形成されている。シャンク部分２３はホルダ１のシャンク穴５に挿入される。シャンク部分２３の外面の所定部分には傾斜溝２５が形成されている。差し込みドリルは、更に、ホルダ１の第１ボルト穴７に締め込まれる締め付けボルト３１を含む。この締め付けボルト３１の内側端は、第１ボルト穴７を通ってホルダ１のシャンク穴５へ突出する。そのため、挿入体２１のシャンク部分２３がホルダ１のシャンク穴５に挿入されたときに挿入体２１を保持し、かくして挿入体２１がホルダ１の取り付けスロット３から抜けないように締め付けボルト３１の内側端が挿入体２１のシャンク部分２３の傾斜溝２５と接触する。
【００１６】
挿入体２１を差し込みドリルに固定するための本発明の第１の実施の形態による構造は、取り付け穴３まで延びるようにホルダ１の外面の所定部分に形成された第２ボルト穴９と、挿入体２１の係合面２７に長さ方向に形成された案内溝２９とを含む。挿入体固定構造は、ホルダ１の第２ボルト穴９に締め込んだ案内ボルト４１を更に含む。図２に示すように、案内ボルト４１の内側端は、挿入体２１がホルダ１の取り付けスロット３に挿入されたとき、案内ボルト４１の内側端が案内溝２９の下端を通って挿入体２１の案内溝２９内に受け入れられ、かくして挿入体２１の案内溝２９を案内するように第２ボルト穴９を通ってホルダ１の取り付けスロット３へ突出している。
【００１７】
図３に示すように、挿入体２１をホルダ１のＸ軸に沿って配置した状態でホルダ１の取り付けスロット３に挿入したとき、挿入体２１の係合面２７に形成された案内溝２９は、Ｘ軸及びＹ軸によって４つの象限に区分されたホルダ１の第４象限に向かって差し向けられ、案内ボルト４１はホルダ１の回転軸線に向かって差し向けられた状態でホルダ１の第４象限に配置されており、そのため、案内ボルト４１の内側端は挿入体２１の案内溝２９に受け入れられる。
【００１８】
更に、案内溝２９及び案内ボルト４１は、締め付けボルト３１の内側端と係合する挿入体２１のシャンク部分２３の傾斜溝２５（図１参照）と直径方向反対側に配置される。即ち、案内溝２９及び案内ボルト４１がホルダ１の第４象限に配置されているとき、ボルト３１及び傾斜溝２５はホルダ１の第２象限に配置されている。
【００１９】
次に、以上に言及した構造を持つ本発明の第１の実施の形態の挿入体固定構造の作動及び効果について以下に説明する。第１に、案内ボルト４１を、ホルダ１の第２ボルト穴９に、案内ボルト４１の内側端が第２ボルト穴９を通ってホルダ１の取り付けスロット３へ所定の長さだけ突出するまで締め込む。その後、挿入体２１を取り付けスロット３に挿入する。これは、挿入体２１の案内溝２９が、ホルダ１の取り付けスロット３へ突出した案内ボルト４１の内側端を受け入れるように行われる。挿入体２１を以上に説明したようにホルダ１の取り付けスロット３に挿入するとき、案内ボルト４１は挿入体２１の移動の邪魔にならない。挿入体２１を取り付けスロット３に挿入した後、締め付けボルト３１を、このボルト３１の内側端が挿入体２１のシャンク部分２３の傾斜溝２５とぴったりと接触するようにホルダ１のボルト穴７に締め込む。かくして挿入体２１がホルダ１に対してしっかりと保持される。
【００２０】
本発明の上述した挿入体固定構造では、たとえ使用者が誤って挿入体２１をホルダ１の取り付けスロット３に対して不整合の状態で挿入しようとした場合でも、挿入体２１は、案内ボルト４１の内側端が取り付けスロット３へ突出しており、挿入体２１と干渉するので、取り付けスロット３に挿入されない。
【００２１】
図４は、図２と対応する図であるが、本発明の第２の実施の形態を示すものである。
【００２２】
図４に示すように、本発明の第２の実施の形態の挿入体固定構造は、第１の実施の形態の構造の案内ボルト４１及び第２ボルト穴９の代わりに案内突出部５１を含む。この案内突出部５１は、挿入体２１をホルダ１の取り付けスロット３に挿入するとき、案内突出部５１が挿入体２１の案内溝２９内へ当該案内溝２９の下端を通して受け入れられ、かくして挿入体２１の案内溝２９を案内するように、ホルダ１の取り付けスロット３の内側面４の所定部分に一体に成形されている。第２の実施の形態による挿入体固定構造の全体構造は、上述した要素を除くと第１の実施の形態と同じであり、これ以上の説明は不要であると考えられる。
【００２３】
図５は、図２と対応する図であるが、この図には本発明の第３の実施の形態が示してある。
【００２４】
図５に示すように、本発明の第３の実施の形態の挿入体固定構造は、第１の実施の形態の構造の案内ボルト４１及び第２ボルト穴９の代わりにキー穴１９及び案内キー６１を含む。キー穴１９は、ホルダ１の外面の所定部分に取り付けスロット３へ延びるように形成されている。案内キー６１を当該案内キー６１の内側端がキー穴１９を通ってホルダ１の取り付けスロット３へ突出するようにホルダ１のキー穴１９に挿入する。その結果、案内キー６１の内側端は、挿入体２１をホルダ１の取り付けスロット３に挿入したとき、案内溝２９の下端を通って挿入体２１の案内溝２９に受け入れられ、かくして挿入体２１の案内溝２９を案内する。第３の実施の形態による挿入体固定構造の全体構造は、上述した要素を除くと第１の実施の形態と同じであり、かくしてこれ以上の説明は不要であると考えられる。
【００２５】
図６は、挿入体を差し込みドリルに固定するための本発明の第４の実施の形態による構造の分解斜視図である。図７は、図６のＡ−Ａ線に沿った断面図である。
【００２６】
図６及び図７に示すように、本発明の第４の実施の形態による挿入体固定構造は、挿入体２１の係合面２７の下縁に設けられた凹所をなした部分７１を含む。挿入体固定構造は、更に、ホルダ１の取り付けスロット３の側壁の下端に設けられた、挿入体２１の凹所をなした部分７１と対応する段７３を含む。その結果、挿入体２１の凹所をなした部分７１は、挿入体２１をホルダ１の取り付けスロット３に挿入したとき、取り付けスロット３の段７３上に嵌着し、かくして挿入体２１はホルダ１の取り付けスロット３に正確に配置される。第４の実施の形態による挿入体固定構造の全体構造は、上述した要素を除くと第１の実施の形態と同じであり、これ以上の説明は不要であると考えられる。
【００２７】
挿入体２１の凹所をなした部分７１は、挿入体２１の係合面２７の反対側の挿入体２１の側壁の下面７１ａと同一平面内にあるその下面から所定高さｈまで切削することにより形成される。
【００２８】
本発明の第４の実施の形態による上述した挿入体固定構造では、たとえ使用者が誤って挿入体２１をホルダ１の取り付けスロット３に対して不整合の状態で挿入しようとした場合でも、挿入体２１は、取り付けスロット３の段７３が挿入体２１の係合面２７と反対側の挿入体２１の側壁の下面７１ａと接触し、挿入体２１と干渉して取り付けスロット３に正しく挿入されないようにするため、取り付けスロット３に挿入されない。従って、使用者は上述した状態を認識し、挿入体２１が取り付けスロット３に対して不整合な状態では、挿入体２１がホルダ１の取り付けスロット３に挿入されないようにすることができる。
【００２９】
図８は、本発明の第５の実施の形態による、差し込みドリルに挿入体を固定するための構造の分解斜視図である。
【００３０】
図８に示すように、本発明の第５の実施の形態の挿入体固定構造は、挿入体２１の係合面２７の下縁の所定位置に設けられた係止溝８１を含む。挿入体固定構造は、更に、ホルダ１の取り付けスロット３の側壁の下端の所定位置に挿入体２１の係止溝８１と対応するように設けられた係止突出部８３を含む。挿入体２１の係止溝８１は、挿入体２１をホルダ１の取り付けスロット３に挿入したときに取り付けスロット３の係止突出部８３と係合し、かくして挿入体２１をホルダ１の取り付けスロット３に正確に配置する。第５の実施の形態による挿入体固定構造の全体構造は、上述した要素を除くと第１の実施の形態と同じであり、かくしてこれ以上の説明は不要であると考えられる。
【００３１】
本発明の第５の実施の形態による上述した挿入体固定構造は、たとえ使用者が誤って挿入体２１をホルダ１の取り付けスロット３に対して不整合の状態で挿入しようとした場合でも、挿入体２１は、取り付けスロット３の係止突出部８３が挿入体２１の係合面２７の反対側の挿入体２１の側壁の下面と接触し、挿入体２１と干渉して取り付けスロット３に正しく挿入されないようにするため、取り付けスロット３に挿入されない。従って、使用者は上述した状態を認識し、挿入体２１が取り付けスロット３に対して不整合な状態では、挿入体２１がホルダ１の取り付けスロット３に挿入されないようにすることができる。
【００３２】
図９は、本発明の第６の実施の形態による、差し込みドリルに挿入体を固定するための構造の分解斜視図である。
【００３３】
図９に示すように、本発明の第６の実施の形態による差し込みドリルの挿入体では、挿入体２１の係止溝８１及び取り付けスロット３の係止突出部８３は、複数の係止溝８１及び複数の係止突出部８３を夫々有する。
【産業上の利用可能性】
【００３４】
以上に説明したように、本発明は、差し込みドリルに挿入体を固定するための構造であって、案内ボルト、案内突出部、案内キー、段又は係止突出部等の案内手段が差し込みドリルのホルダの取り付けスロットに設けられ、案内溝、凹所をなした部分又は係止溝等の受け入れ手段が挿入体の係合面に形成され、挿入体をホルダの取り付けスロットに挿入するときに、案内溝、凹所をなした部分又は係止溝等の受け入れ手段が、案内ボルト、案内突出部、案内キー、段又は係止突出部等の案内手段によって案内され、かくして挿入体がホルダの取り付けスロット内に正確に配置される、差し込みドリルに挿入体を固定するための構造を提供する。
【００３５】
本発明の好ましい実施の形態を例示の目的に関して開示したが、特許請求の範囲に開示の本発明の範囲及び精神から逸脱することなく、様々な変更、追加及び入替えを行うことができるということは当業者には理解されよう。
【図面の簡単な説明】
【００３６】
【図１】本発明の一実施の形態による、差し込みドリルに挿入体を固定するための構造の分解斜視図である。
【図２】図１のＡ−Ａ線に沿った断面図である。
【図３】図１の挿入体固定構造の平面図である。
【図４】本発明の第２の実施の形態を示す、図２と対応する図である。
【図５】本発明の第３の実施の形態を示す、図２と対応する図である。
【図６】本発明の第４の実施の形態による、差し込みドリルに挿入体を固定するための構造の分解斜視図である。
【図７】図６のＡ−Ａ線に沿った断面図である。
【図８】本発明の第５の実施の形態による、差し込みドリルに挿入体を固定するための構造の分解斜視図である。
【図９】本発明の第６の実施の形態による、差し込みドリルに挿入体を固定するための構造の分解斜視図である。
【符号の説明】
【００３７】
１  ホルダ
３  取り付けスロット
５  シャンク穴
７  第１ボルト穴
９  第２ボルト穴
２１  挿入体
２３  シャンク部分
２５  傾斜溝
２７  係合面
２９  案内溝
３１  締め付けボルト
４１  案内ボルト
５１  案内突出部
６１  案内キー
７１  凹所をなした部分
７３  段
８１  係止溝
８３  係止突出部
【図１】
2005144655.tif 000003
【図２】
2005144655.tif 000004
【図３】
2005144655.tif 000005
【図４】
2005144655.tif 000006
【図５】
2005144655.tif 000007
【図６】
2005144655.tif 000008
【図７】
2005144655.tif 000009
【図８】
2005144655.tif 000010
【図９】
2005144655.tif 000011